(57)【要約】【課題】  本発明は、ペット滞在空間部内を常に減圧状態とすることにより室内にペット滞在空間部内空気を発散させることなく屋外に排気することにより他のペットへの感染を防止することができる動物用ケージを提供することを目的とするものである。【解決手段】本発明は、ペット滞在空間を有する前面開口状の複数のケージセル３と、前記ケージセル３の開口端に開閉自在な状態で取り付けられる開閉扉８と、前記ケージセル３内にその開口端が前記開閉扉８に密接するような状態で収納されるペット滞在部１８と、前記開閉扉８に設けられる空気取入れ口１１と、前記空気取入れ口１１より空気が吸い込まれて前記ペット滞在部１８内が減圧した状態で換気流を生じさせる機能を備える。【選択図】図１
2009225750.tif 000002
【特許請求の範囲】
【請求項１】
ペット滞在空間を有する前面開口状の複数のケージセルと、
前記ケージセルの開口端に開閉自在な状態で取り付けられる開閉扉と、
前記開閉扉に設けられる空気取入れ口と、
前記空気取入れ口より空気が吸い込まれて前記ペット滞在部内が減圧した状態で換気流を生じさせる機能を備える
動物用ケージ。
【請求項２】
前記ケージセル内に、その開口端が前記開閉扉に密接するような状態で配置されるペット滞在部が設けられると共に、前記空気取入れ口より空気が吸い込まれて前記ペット滞在部内の空気が排気される機能を備える
請求項１記載の動物用ケージ。
【請求項３】
前記ペット滞在部内に、該ペット滞在部底面との間に通気路が形成されるように敷板部を設け、該敷板部には空気噴出し口が開口されると共に、前記開閉扉に設けられる空気取入れ口を前記通気路と連通状となる位置に設ける
請求項２記載の動物用ケージ。
【請求項４】
前記敷板部の下部に、ヒーターマットが収納できるヒーターマット挿入部が設けられた
請求項３記載の動物用ケージ。
【請求項５】
前記ペット滞在部に換気機能を設け、かつケージセルに対して着脱自在とする
請求項２、請求項３または請求項４記載の動物用ケージ。
【請求項６】
前記ペット滞在部が円筒形状に構成された
請求項２、請求項３、請求項４または請求項５記載の動物用ケージ。
【発明の詳細な説明】
【技術分野】
【０００１】
本発明は、動物用ケージに関する。詳しくは動物病院やペットホテルなどのように犬、猫などの動物を滞在させる動物用ケージに係るものである。
【背景技術】
【０００２】
近年、犬や猫などのペットの飼い主が旅行等のために不在となる場合に、ペットを一時的に預る形で滞在させるペットホテル、あるいは動物病院での入院では、ペットを複数に間仕切りされたケージに滞在させるものが提案されており、例えば特許文献１に記載されている。具体的には図９に示すように、ケージセル１０１を壁部を介した連接方向において各々独立かつ分離可能に構成され、副壁部１０７にてケージセル１０１を連接配置したとき、それらケージセル１０１のペット滞在空間同士をペットの通行が可能な状態で連結する連結開口部１０２が設けられる。この連結開口部１０２に対し着脱可能に設けられ、かつ連結開口部１０２を閉塞する着脱壁部１０３が取り付けられ、いっぽうペット滞在空間内部の空気を吸い出すためにケージセル１０１に空気吸出し口１０４が形成され、空気吸出し口１０４には換気用配管１０５の第一端が連通し、換気用配管１０５の第二端に、換気用配管１０５から空気吸出し口１０４を経てペット滞在空間に吸出し方向の換気流を生じさせる換気駆動部１０６が設けられた構成のケージが提案されている。
【０００３】
【特許文献１】特開２００７−７５０２５号公報
【発明の開示】
【発明が解決しようとする課題】
【０００４】
しかしながらペットホテルや動物病院では、必ずしも健康状態の良好なペットのみを滞在させることはなく、病気に掛かった、あるいは伝染病に感染したペットを滞在させる場合がある。したがって、互いに触れさせることがなくてもケージ内から室内への病原菌の発散により健康なペットに空気感染する恐れがある。
【０００５】
また、特許文献１のケージでは、ペット滞在空間部の空気を吸い出すために、ケージセルに空気吸出し口が形成され、この空気吸出し口には換気用配管および換気駆動部を設けることにより屋外への排気を行うものであるが、ケージセルのペット滞在空間同士をペットの通行が可能な状態で連結する連結開口部が副壁部に設けられるために、ペットがせきすることなどにより病原菌が連結開口部を通して隣接するケージセルに拡散されて他のペットに病気が感染する恐れがある。
【０００６】
本発明は、以上の点に鑑みて創案されたものであって、ペット滞在空間部内を常に減圧状態とすることにより室内にペット滞在空間部内空気を発散させることなく屋外に排気することにより他のペットへの感染を防止することができる動物用ケージを提供することを目的とするものである。
【課題を解決するための手段】
【０００７】
上記の目的を達成するために、本発明に係る動物用ケージは、ペット滞在空間を有する前面開口状の複数のケージセルと、前記ケージセルの開口端に開閉自在な状態で取り付けられる開閉扉と、前記開閉扉に設けられる空気取入れ口と、前記空気取入れ口より空気が吸い込まれて前記ペット滞在部内が減圧した状態で換気流を生じさせる機能を備える。
【０００８】
ここで、ペット滞在空間内を減圧した状態で換気流を生じさせることにより、病気に感染したペットを滞在させる場合でも感染した空気が外部に漏れることなく換気させることで他のペットへの感染を防ぐことが可能となる。
【０００９】
また、前記ケージセル内に、その開口端が前記開閉扉に密接するような状態で配置されるペット滞在部が設けられると共に、前記空気取入れ口より空気が吸い込まれて前記ペット滞在部内の空気が排気される機能を備えることにより、ペット滞在空間内の空気が室外へ排気されることで他のペットへの感染を防ぐことが可能となる。
【００１０】
また、ペット滞在部内に、ペット滞在部底面との間に通気路が形成されるように敷板部を設け、敷板部には空気噴出し口が開口されると共に、開閉扉に設けられる空気取入れ口を前記通気路と連通状となる位置に設けることにより、空気取入れ口より吸い込まれる空気は敷板部とペット滞在部底面との間に通気路内に気流が生じ、敷板部に開口される空気噴出し口を通して換気されることによりペット滞在部内に滞在るペットは気流に晒されることがないためにストレスを感ずることなく過ごすことが可能となる。
【００１１】
また、敷板部の下部に、ヒーターマットが収納できるヒーターマット挿入部が設けられることにより、ヒーターマットが露出することなく敷板部を暖めることができるために、ペットによるヒーターマットの損傷を防ぐとともに事故を未然に防ぐことが可能となる。
【００１２】
また、ペット滞在部に換気機能を設け、かつケージセルに対して着脱自在とすることにより、既存のケージ、あるいはアングル材などによって骨組み状態で組み立てられたケージセルに取り付けることが可能となる。
【００１３】
また、ペット滞在部が円筒形状に構成されることにより、掃除の際に角がないために非常に効率良く行うことが可能となる。
【発明の効果】
【００１４】
本発明の動物用ケージによれば、ケージ内を常に減圧状態とすることによりペットが感染していた場合であっても病原菌に晒された空気をケージ外に漏れ出すことなく換気を行うことが可能となり他のペットへの感染を防ぐことができる。
【００１５】
また、ケージ内に滞在中のペットは、換気流に晒されることがないためにストレスがなく過ごすことができる。
【発明を実施するための最良の形態】
【００１６】
以下、本発明の実施の形態を図面を参酌しながら説明し、本発明の理解に供する。
図１は、本発明を適用した動物用ケージの一例を示す正面図、図２は、本発明を適用した動物用ケージの内部機構示す断面図、図３は、本発明を適用した動物用ケージのケージセルを示す斜視図である。
【００１７】
ここで示すケージ本体１は、枠体２により格子状に組み合わされることで角形状の複数のケージセル３が形成されている。このケージセル３は、床面部４、天井部５及び左右壁６並びに奥壁部６Ａにより取り囲まれた単一のペット滞在空間７が形成されている。
【００１８】
また、ケージセル３の開口端には、開閉扉８が設けられる。この開閉扉８は、一端が連結枢支され、他端にレバー１０が設けられ、このレバー１０を手前に引くことで開閉扉８が開き、閉めるとレバーロックがかかるので内側から開くことがない構成とされている。更に、開閉扉８の下部には、空気取入れ口１１が開口される。この空気取入れ口１１には、スライド式の空気流入調整板１２が設けられて空気の流入量を自在に調整できる構成とされている。
【００１９】
更に、開閉扉８には、湿温度計３０が設けられ、ケージセル３内の湿度および温度が確認できる構成とされている。また、ペットに点滴をする際に点滴のチューブを挿入するためのポート３１が貫設されると共に、空気取入れ口１１の周辺にはヒーターマットの電気コードを挿入するためのコード挿通穴３２が開口された構成とされている。
【００２０】
ここで、それぞれのケージセル３の奥壁部６Ａには、排気口１３が開口されている。これらの排気口１３は、枠体２の後端に形成される排気ダクト１４に連通されている。そしてこの排気ダクト１４には換気用配管１５が接続され、換気用配管１５から空気吸出し口１６を経て屋外へ換気を行う換気駆動部１７が設けられた構成とされている。
【００２１】
また、ケージセル３内には円筒状のペット滞在部１８が設置されると共に、開口扉８側に向けて前傾した状態で設置され、このペット滞在部１８内にペットが滞在するペット滞在空間部７が形成された構成とされている。また、ペット滞在部１８内下部には平坦状とするための敷板部１９が配置されている。この敷板部１９は、円筒状のペット滞在部１８の内周面に載置することにより内周面との間に通気路３０が形成されている。
【００２２】
また、敷板部１９の下部には二重構造としたヒーターマット挿入部２０が設けられると共に、敷板部１９の両側に沿ってスリット状の空気噴出し口２１が開口されている。
【００２３】
図１に示す開閉扉８の下部の空気取入れ口１１が図２に示すように、ペット滞在部１８内に設置される敷板部１９とペット滞在部１８内周面との通気路３０に位置することとなり、空気取入れ口１１から吸い込まれた空気は敷板部１９とペット滞在部１８内周面との通気路３０を通してペット滞在部１８の空気噴出し口２１より吹き出し、ケージセル３の奥壁部６Ａの排気口１３より排気されることからペットが気流に晒されることなく換気とケージセル３内を常に減圧状態に保持されている。
【００２４】
また、図４は、本発明を適用した動物用ケージのペット滞在部の他の形態を示す説明図である。
ここで示す動物用ケージのペット滞在部１８は、円筒形状に形成され、その一端側に排気ファン２２が取り付けられた排気管２５が取り付けられている。また、ペット滞在部１８内には図３で詳述した敷板部１９が設置されている。
【００２５】
図４で示す構成のペット滞在部１８の場合、枠体２により格子状に組み合わされることで角形状の複数のペット滞在空間７が形成されているケージセル３に対してケージセル３の奥壁部６Ａにペット滞在部１８の排気管２５を嵌め入れられる貫通穴（図示せず。）を設けることで容易に本発明を実現することができる。
【００２６】
また、図５に示すのは、ペット滞在部を使用した動物用ケージの他の例を示すものであり、アングル材などにより枠組されたケージセル３が形成され、このケージセル３の扉側の開口端に、開閉扉８が取り付けられている。
【００２７】
ここで、開閉扉８にペット滞在部１８の開口端が当接するような状態でペット滞在部１８がアングル部材などによって枠組みされるケージセル３内に配置されている。更に、ペット滞在部１８の排気管２５に屋外に配管される排気ホース２６を連結することによりペット滞在部１８内のペットに取り入れ空気が直接に当たることなく換気とケージセル３内を常に減圧状態に保持している。
【００２８】
また、図６に示すのは、動物用ケージを壁際に配置せずに部屋の略中央位置に配置する場合の一例を示すものであり、アングル部材などによってペット滞在部１８が縦列できる幅以上に枠組みされたケージセル３の両側の開口端に開閉扉８が取り付けられている。
【００２９】
ここで、開閉扉８にペット滞在部１８の開口端が当接するような状態でペット滞在部１８をケージセル３内に縦列配置されている。更に、縦列配置されるペット滞在部１８との間に排気ダクト１４を設け、この排気ダクト１４に排気ファン２２が取り付けられたペット滞在部１８の排気管２５を連通状に接続することにより屋外への換気が行えると共に、ペット滞在部１８内のペットに取り入れられる空気によってペットが晒されることなくケージセル３内が常に減圧状態に保持されている。
【００３０】
次に、図７は、本発明を適用した動物用ケージの他の例を示す説明図であり、ケージセル３の左右壁６内面に、敷板部係留突起部２３が一定高さで配置されている。更に、敷板部係留突起部２３上に敷板部１９の両側端が係留するような状態で載置することにより敷板部１９とケージセル３の床面部４との間に通気路３０が形成されている。
【００３１】
また、敷板部１９の下部には二重構造としたヒーターマット挿入部２０が設けられると共に、敷板部１９の両側に沿ってスリット状の空気噴出し口２１が開口されている。
【００３２】
図１に示す開閉扉８の下部の空気取入れ口１１が図７に示す敷板部１９とケージセル３の床面部４との通気路３０に位置することとなり、空気取入れ口１１から吸い込まれた空気はケージセル３の床面部４との通気路３０を通して空気噴出し口２１より吹き出してケージセル３の奥壁部６Ａの排気口１３より排気されることからペットが気流に晒されることなく換気とケージセル３内が常に減圧状態に保持される。
【００３３】
また、開閉扉８の空気取入れ口１１に病原菌を吸着させるペパフィルター（図示せず。）を設けることにより感染を防ぐことが可能となる。更に排気を屋外に出さずに屋内で行う場合にはペパフィルターを通して行うことが望ましい。
【００３４】
以上の構成よりなる本発明の動物用ケージでは図８に示すように、開閉扉８の空気取入れ口１１より取り入れられる空気は、ペット滞在部１８内に設けられる敷板部１９とペット滞在部１８の内周面との間の空間部内を通り、敷板部１９の両側に開口される空気噴出し口２１より吹き出してケージセル３の奥壁部６Ａの排気口１３より排気されることにより、ペットＡが気流に晒されることがなく換気を行うことが可能となる。
【００３５】
また、開閉扉８の空気取入れ口１１より取り入れられる空気量と排気量とを調整し、常にペット滞在部１８内が減圧状態とすることによりペット滞在部１８内の空気がケージセル３外へ漏れ出ることがなく感染したペットの病原菌を屋内に放出することを防止することが可能となる。
【００３６】
更に、敷板部１９下部のヒーターマット挿入部２０内にヒートマット（図示せず。）が入れられることにより、ペットが爪で引掻く、あるいは噛むことによってヒーターマットを破損させることなく安全に使用することが可能となる。
【００３７】
また、殆んどの棚式のケージセルは方形状であり、かつステンレスなどの鏡面仕上げでるために、ケージセル内を洗浄する際には各コーナー部分の洗浄、あるいは拭き取りが非常に煩雑となる。しかしながら本発明における円筒状のペット滞在部１８をペットが感じない程度に前傾させることにより、敷板部１９を取外してペット滞在部１８内を水洗いする際にはペット滞在部１８内にコーナーが無くなることで非常に洗い易くなり、かつ水が開閉扉８より流れ出すことにより洗浄を効率良く行うことが可能となる。
【図面の簡単な説明】
【００３８】
【図１】本発明を適用した動物用ケージの一例を示す正面図である。
【図２】本発明を適用した動物用ケージの内部機構を示す断面説明図である。
【図３】本発明を適用した動物用ケージのペット滞在部を示す説明図である。
【図４】本発明を適用した動物用ケージのペット滞在部の他の形態を示す説明図である。
【図５】本発明を適用した動物用ケージの他の形態を示す説明図である。
【図６】本発明を適用した動物用ケージのペット滞在部を縦列させた形態を示す説明図である。
【図７】本発明を適用した動物用ケージのケージセルの他の形態を示す説明図である。
【図８】本発明を適用した動物用ケージの作用状態を示す説明図である。
【図９】従来の動物用ケージの一例を示す説明図である。
【符号の説明】
【００３９】
１      ケージ本体
２      枠体
３      ケージセル
４      床面部
５      天井部
６      左右壁
６Ａ    奥壁部
７      ペット滞在空間
８      開閉扉
１０    レバー
１１    空気取入れ口
１２    空気流入調整板
１３    排気口
１４    排気ダクト
１５    換気用配管
１６    空気吹出し口
１７    換気駆動部
１８    ペット滞在部
１９    敷板部
２０    ヒーターマット挿入部
２１    空気噴出し口
２２    排気ファン
２５    排気管
２６    排気ホース
３０    湿温度計
３１    ポート
３２    コード挿通穴
【図１】
2009225750.tif 000003
【図２】
2009225750.tif 000004
【図３】
2009225750.tif 000005
【図４】
2009225750.tif 000006
【図５】
2009225750.tif 000007
【図６】
2009225750.tif 000008
【図７】
2009225750.tif 000009
【図８】
2009225750.tif 000010
【図９】
2009225750.tif 000011